(57)【要約】【課題】組み付けが容易であると共に小型化することができるソレノイド装置を提供する。【解決手段】ソレノイド装置１は、図１（ａ）に示すように、主に、第１の配線２１及び第２の配線２２が設けられた基板２と、貫通孔３３を有するボビン３０、ボビン３０に巻き回され、一方端が第１の配線２１と電気的に接続する電線３５、を有するコイル部３と、コイル部３を囲むような形状を有し、ボビン３０の貫通孔３３に応じた開口４０１を有し、自身を介して第２の配線２２と電線３５の他方端とを電気的に接続するヨーク部４と、ヨーク部４の開口４０１を介してボビン３０の貫通孔３３に挿入されるプランジャ５と、を備えて概略構成されている。【選択図】図１
2014143260.tif 000002
【特許請求の範囲】
【請求項１】
第１の配線及び第２の配線が設けられた基板と、
貫通孔を有するボビン、前記ボビンに巻き回され、一方端が前記第１の配線と電気的に接続する電線、を有するコイル部と、
前記コイル部を囲むような形状を有し、前記ボビンの前記貫通孔に応じた開口を有し、自身を介して前記第２の配線と前記電線の他方端とを電気的に接続するヨーク部と、
前記ヨーク部の前記開口を介して前記ボビンの前記貫通孔に挿入されるプランジャと、
を備えたソレノイド装置。
【請求項２】
前記コイル部は、前記電線と前記第１の配線とを電気的に接続する第１の端子、及び前記電線と前記ヨーク部とを電気的に接続する第２の端子を有する、
請求項１に記載のソレノイド装置。
【請求項３】
前記基板は、前記第１の端子が挿入される挿入孔、及び前記挿入孔を中心とした円の円周に沿って設けられた取付孔を有し、
前記ヨーク部は、前記開口が設けられた上部、前記上部と対向するように設けられ、前記取付孔に挿入される脚部を有する下部、及び前記上部と前記下部とを連結する連結部を有する、
請求項２に記載のソレノイド装置。
【請求項４】
前記ヨーク部の前記脚部は、前記下部の側面から前記基板の方向に突出する突出部、前記突出部から前記下部と実質的に平行方向に延びる先端部、を有し、
前記基板の前記挿入孔に前記第１の端子を挿入すると共に前記基板の前記取付孔に前記脚部を挿入し、前記第１の端子を中心として前記コイル部を保持する前記ヨーク部を前記基板に対して回転させることにより、前記先端部と前記第２の配線とが電気的に接続する、
請求項３に記載のソレノイド装置。
【発明の詳細な説明】
【技術分野】
【０００１】
本発明は、ソレノイド装置に関する。
【背景技術】
【０００２】
従来の技術として、内部に流体通路が形成されたボデーと、流体通路を開閉する弁体を含む弁部ユニットと、通電により弁部ユニットの弁体を吸引するソレノイドと、ソレノイドが取り付けられた基板と、を備えた液圧制御装置が知られている（例えば、特許文献１参照。）。
【０００３】
この液圧制御装置は、ソレノイドが、基板側に突出するステーを有し、このステーの先端部を基板に設けられたステー挿入孔に圧入することで、基板とソレノイドとを一体とすることができるので、隔壁によりソレノイドと基板とを分けるものと比べて、小型化を図ることができる。
【先行技術文献】
【特許文献】
【０００４】
【特許文献１】特開２０１２−３５８４１号公報
【発明の概要】
【発明が解決しようとする課題】
【０００５】
しかし、従来の液圧制御装置は、ソレノイドが、ステーを介して基板に取り付けられるため、ソレノイドと基板との間に距離が必要であり、さらなる小型化の妨げになるという問題がある。
【０００６】
従って、本発明の目的は、組み付けが容易であると共に小型化することができるソレノイド装置を提供することにある。
【課題を解決するための手段】
【０００７】
本発明の一態様は、第１の配線及び第２の配線が設けられた基板と、貫通孔を有するボビン、ボビンに巻き回され、一方端が第１の配線と電気的に接続する電線、を有するコイル部と、コイル部を囲むような形状を有し、ボビンの貫通孔に応じた開口を有し、自身を介して第２の配線と電線の他方端とを電気的に接続するヨーク部と、ヨーク部の開口を介してボビンの貫通孔に挿入されるプランジャと、を備えたソレノイド装置を提供する。
【発明の効果】
【０００８】
本発明によれば、組み付けが容易であると共に小型化することができる。
【図面の簡単な説明】
【０００９】
【図１】図１（ａ）は、実施の形態に係るソレノイド装置の斜視図であり、（ｂ）は、ヨーク部の斜視図であり、（ｃ）及び（ｄ）は、ヨーク部の脚部の側面図である。
【図２】図２（ａ）は、実施の形態に係るソレノイド装置のコイル部の斜視図であり、（ｂ）は、プランジャの斜視図である。
【図３】図３（ａ）は、実施の形態に係るソレノイド装置の基板の上面図であり、（ｂ）は、図３（ａ）のIII（ｂ）-III（ｂ）線で切断した断面を矢印の方から見た断面図であり、（ｃ）は、図３（ａ）のIII（ｃ）-III（ｃ）線で切断した断面を矢印の方から見た断面図であり、（ｄ）は、図３（ａ）のIII（ｄ）-III（ｄ）線で切断した断面を矢印の方から見た断面図であり、（ｅ）は、ソレノイド装置を側面から見た模式図であり、（ｆ）は、ボビンに挿入されたコアとプランジャとの位置関係を示すための模式図である。
【発明を実施するための形態】
【００１０】
（実施の形態の要約）
実施の形態に係るソレノイド装置は、第１の配線及び第２の配線が設けられた基板と、貫通孔を有するボビン、ボビンに巻き回され、一方端が第１の配線と電気的に接続する電線、を有するコイル部と、コイル部を囲むような形状を有し、ボビンの貫通孔に応じた開口を有し、自身を介して第２の配線と電線の他方端とを電気的に接続するヨーク部と、ヨーク部の開口を介してボビンの貫通孔に挿入されるプランジャと、を備えて概略構成されている。
【００１１】
[実施の形態]
（ソレノイド装置１の構成）
図１（ａ）は、実施の形態に係るソレノイド装置の斜視図であり、（ｂ）は、ヨーク部の斜視図であり、（ｃ）及び（ｄ）は、ヨーク部の脚部の側面図である。図２（ａ）は、実施の形態に係るソレノイド装置のコイル部の斜視図であり、（ｂ）は、プランジャの斜視図である。図３（ａ）は、実施の形態に係るソレノイド装置の基板の上面図であり、（ｂ）は、図３（ａ）のIII（ｂ）-III（ｂ）線で切断した断面を矢印の方から見た断面図であり、（ｃ）は、図３（ａ）のIII（ｃ）-III（ｃ）線で切断した断面を矢印の方から見た断面図であり、（ｄ）は、図３（ａ）のIII（ｄ）-III（ｄ）線で切断した断面を矢印の方から見た断面図であり、（ｅ）は、ソレノイド装置を側面から見た模式図であり、（ｆ）は、ボビンに挿入されたコアとプランジャとの位置関係を示すための模式図である。なお、実施の形態に係る各図において、図形間の比率は、実際の比率とは異なる場合がある。
【００１２】
このソレノイド装置１は、一例として、車両に搭載されたキーシリンダ装置のインターロック、ブレーキ装置、及び各種電子機器等に幅広く用いられるものである。
【００１３】
ソレノイド装置１は、図１（ａ）に示すように、主に、第１の配線２１及び第２の配線２２が設けられた基板２と、貫通孔３３を有するボビン３０、ボビン３０に巻き回され、一方端が第１の配線２１と電気的に接続する電線３５、を有するコイル部３と、コイル部３を囲むような形状を有し、ボビン３０の貫通孔３３に応じた開口４０１を有し、自身を介して第２の配線２２と電線３５の他方端とを電気的に接続するヨーク部４と、ヨーク部４の開口４０１を介してボビン３０の貫通孔３３に挿入されるプランジャ５と、を備えて概略構成されている。
【００１４】
（基板２の構成）
基板２は、図３（ａ）に示すように、板形状を有するプリント配線基板である。この基板２の表面２０ａには、ヨーク部４が取り付けられる。基板２の裏面２０ｂには、図３（ａ）に示すように、第１の配線２１及び第２の配線２２が設けられている。
【００１５】
第１の配線２１及び第２の配線２２は、例えば、銅、アルミニウム等の導電性を有する金属材料により形成されている。第１の配線２１の端部は、図３（ａ）に示すように、円形状に形成されている。この端部には、後述する挿入孔２３が形成されている。この挿入孔２３は、基板２を貫通する孔である。
【００１６】
第２の配線２２は、例えば、図３（ａ）に示すように、離れて形成された、後述する第１の取付孔２５及び第２の取付孔２６を繋ぐように、Ｌ型に形成されている。第１の配線２１及び第２の配線２２の一方が、例えば、ソレノイド装置１が電気的に接続される電子回路から電流が供給される側であり、他方が、電子回路のＧＮＤ側である。
【００１７】
基板２は、図１（ａ）及び図３（ａ）に示すように、後述する第１の端子６ａが挿入される挿入孔２３、及び挿入孔２３を中心２００とした円２０１の円周に沿って設けられた第１の取付孔２５及び第２の取付孔２６を有している。なお、本実施の形態では、基板２には、第１の取付孔２５及び第２の取付孔２６が設けられているが、これに限定されず、ソレノイド装置１の用途等に応じて任意に変更可能である。
【００１８】
第１の取付孔２５及び第２の取付孔２６は、挿入孔２３を中心２００とした円２０１に沿って細長い形状を有している。第１の取付孔２５は、例えば、後述するヨーク部４の第１の脚部が挿入される挿入開口２５ａ、挿入開口２５ａよりも幅が狭い取付開口２５ｂを備えている。また同様に、第２の取付孔２６は、例えば、後述するヨーク部４の第２の脚部が挿入される挿入開口２６ａ、挿入開口２６ａよりも幅が狭い取付開口２６ｂを備えている。
【００１９】
第１の取付孔２５の取付開口２５ｂ、及び第２の取付孔２６の取付開口２６ｂは、図３（ａ）に示すように、挿入されたヨーク部４の脚部が第２の配線２２と電気的に接続する、つまり、接触する位置に形成されている。例えば、第１の取付孔２５の取付開口２５ｂの端部２５ｃは、ヨーク部４の回転により、第１の脚部４１１の後述する突出部４１１ａの端面４１１ｅが接触するように構成されている。この端部２５ｃは、第２の配線２２の端部に形成されるので、第１の脚部４１１の上面４１１ｃが、第２の配線２２と接触する。
【００２０】
同様に、例えば、第２の取付孔２６の取付開口２６ｂの端部２６ｃは、ヨーク部４の回転により、第２の脚部４１２の後述する突出部４１２ａの端面４１２ｅが接触するように構成されている。この端部２６ｃは、第２の配線２２に形成されるので、第２の脚部４１２の上面４１２ｃが、第２の配線２２と接触する。
【００２１】
（コイル部３の構成）
コイル部３のボビン３０は、円板形状を有する上部フランジ３１及び下部フランジ３２と、上部フランジ３１と下部フランジ３２とを繋ぐ円筒形状の図示しない円筒部と、を備えて概略構成されている。このボビン３０は、例えば、樹脂材料を用いて形成されている。
【００２２】
また、コイル部３は、電線３５と第１の配線２１とを電気的に接続する第１の端子６ａ、及び電線３５とヨーク部４とを電気的に接続する第２の端子６ｂを有する。
【００２３】
電線３５は、例えば、銅、アルミニウム等の導電性を有する材料を用いて線状に形成されている。この電線３５の表面は、絶縁性を有する被膜が形成されている。
【００２４】
電線３５は、ボビン３０の円筒部に巻き回されている。電線３５は、一方端が下部フランジ３２の側面３２０に設けられた端子挿入孔３２１内に露出するように構成されている。また、電線３５は、他方端が上部フランジ３１の側面３１０に設けられた端子挿入孔３１１に露出するように構成されている。
【００２５】
下部フランジ３２には、図２（ａ）に示すように、段差部３２２が設けられている。この段差部３２２は、ヨーク部４の下部４１の厚みと実質的に同じ段差が付けられている。従って、この段差部３２２に挿入されたヨーク部４の下部４１の下面４１０ｂと、ボビン３０の下部フランジ３２の下面３２３と、は、実質的に面一となる。つまり、下部４１の下面４１０ｂと下部フランジ３２の下面３２３は、基板２の表面２０ａと接触する。
【００２６】
（ヨーク部４の構成）
ヨーク部４は、例えば、鉄、パーマロイ等の軟磁性体材料を用いて形成されている。ヨーク部４は、例えば、図１（ａ）に示すように、開口４０１が設けられた上部４０、上部４０と対向するように設けられ、第１の取付孔２５に挿入される第１の脚部４１１、及び第２の取付孔２６に挿入される第２の脚部４１２を有する下部４１、及び上部４０と下部４１とを連結する連結部４２を有する。つまり、ヨーク部４は、例えば、一枚の細長い板を、端部と端部が向かい合うように垂直に折り曲げたような形状を有している。
【００２７】
ヨーク部４の上部４０の上面４００ａには、図１（ａ）に示すように、円筒形状の円筒部４３が設けられている。この円筒部４３の孔は、上部４０に設けられた開口と通じており、これらを含めて開口４０１と記載する。円筒部４３は、例えば、プランジャ５のガイドとして設けられている。
【００２８】
この上部４０の連結部４２側の反対の前面４００ｃには、第２の端子６ｂに応じた凹みである凹部４０２が設けられている。この凹部４０２は、図１（ｂ）に示すように、上部４０の厚み方向に形成された半円形状の溝である。
【００２９】
凹部４０２に配置された第２の端子６ｂは、はんだ７ａにより、ヨーク部４と電気的に接続される。従って、ヨーク部４は、第２の端子６ｂを介して電線３５と電気的に接続している。
【００３０】
ヨーク部４の下部４１は、図１（ｂ）に示すように、上部４０の開口４０１に応じた挿入開口としてのコア挿入孔４５を、上部４０側の内面４１０ａに有している。このコア挿入孔４５は、一例として、下部４１を貫通する貫通孔であるが、これに限定されず、コア８の形状によっては、貫通していなくても良い。
【００３１】
連結部４２から上部４０の前面４００ｃまでの長さは、連結部４２から下部４１の前面４１０ｅまでの長さよりも長くなっている。これは、コイル部３の段差部３２２に下部４１が嵌るようになっているからである。ソレノイド装置１は、段差部３２２と下部４１とが嵌り合うので、ヨーク部４に対するコイル部３の回転を防止することが可能となる。
【００３２】
また、コイル部３は、図１（ｂ）に示すように、ヨーク部４の上部４０の内面４００ｂと下部４１の内面４１０ａとにより囲まれる挿入領域４６に挿入される。
【００３３】
ヨーク部４の第１の脚部４１１は、例えば、図１（ｂ）及び（ｃ）に示すように、下部４１の側面４１０ｃから基板２の方向に突出する突出部４１１ａ、突出部４１１ａから下部４１と実質的に平行方向に延びる先端部４１１ｂ、を有している。
【００３４】
この第１の脚部４１１の突出部４１１ａは、例えば、図３（ｃ）に示すように、下部４１の側面４１０ｃから突出し、さらに基板２側に垂直に折れて形成されている。
【００３５】
先端部４１１ｂは、例えば、図３（ｃ）に示すように、基板２にヨーク部４を取り付ける際に回転させる方向に合わせて、ヨーク部４の連結部４２の方向に延びている。この回転させる方向は、図３（ａ）の矢印Ａ方向である時計回りの方向であるが、これに限定されず、反時計回りの方向であっても良い。この回転させる方向が反時計回りである場合は、先端部４１１ｂ及び後述する先端部４１２ｂは、図１（ｃ）及び（ｄ）に示す方向とは、互いに反対の方向に延びるように形成される。
【００３６】
ヨーク部４の第２の脚部４１２は、例えば、図１（ｂ）及び（ｄ）に示すように、下部４１の側面４１０ｄから基板２の方向に突出する突出部４１２ａ、突出部４１２ａから下部４１と実質的に平行方向に延びる先端部４１２ｂ、を有している。
【００３７】
この第２の脚部４１２の突出部４１２ａは、例えば、図３（ｄ）に示すように、下部４１の側面４１０ｄから突出し、さらに基板２側に垂直に折れて形成されている。
【００３８】
先端部４１２ｂは、例えば、図３（ｄ）に示すように、基板２にヨーク部４を取り付ける際に回転させる方向に合わせて、連結部４２とは反対の方向に延びている。つまり、先端部４１１ｂ及び先端部４１２ｂは、基板２に対してヨーク部４を回転させる際、その回転の方向に延びて形成される。
【００３９】
図１（ｃ）に示す側面視において、下部４１の下面４１０ｂと第１の脚部４１１の先端部４１１ｂの下面４１０ｂ側となる上面４１１ｃとの間隔ｄは、基板２と第２の配線２２の表面２２ａまでの厚みよりも小さい。また同様に、図１（ｄ）に示す側面視において、下部４１の下面４１０ｂと第２の脚部４１２の先端部４１２ｂの下面４１０ｂ側となる上面４１２ｃとの間隔ｄは、基板２と第２の配線２２の表面２２ａまでの厚みよりも小さい。
【００４０】
これは、次の理由による。第１の脚部４１１が第１の取付孔２５の挿入開口２５ａに挿入されると共に、第２の脚部４１２が第２の取付孔２６の挿入開口２６ａに挿入され、ヨーク部４が基板２に対して時計回りに回転されると、第１の脚部４１１の突出部４１１ａが第１の取付孔２５の取付開口２５ｂに移動し、第２の脚部４１２の突出部４１２ａが第２の取付孔２６の取付開口２６ｂに移動する。
【００４１】
この移動により、第１の脚部４１１の先端部４１１ｂの先端上部４１１ｄが、第２の配線２２の側面上部に接触し、第２の配線２２の表面２２ａ付近を変形させながら移動する。同様に、第２の脚部４１２の先端部４１２ｂの先端上部４１２ｄが、第２の配線２２の側面上部に接触し、第２の配線２２の表面２２ａ付近を変形させながら移動する。
【００４２】
この先端上部４１１ｄ及び先端上部４１２ｄの移動により、先端部４１１ｂと第２の配線２２、及び先端部４１２ｂと第２の配線２２の電気的な接続が行われる。従って、上述の間隔ｄは、この移動により、第２の配線２２の表面２２ａ付近が変形する程度、つまり、変形により、第２の配線２２が基板２から剥がれない程度の間隔として設定されるのが好ましい。なお、先端上部４１１ｄ及び先端上部４１２ｄの移動により、先端部４１１ｂ及び先端部４１２ｂが、第２の配線２２と接触しなくても良い。この場合は、基板２にヨーク部４を取り付けた後、先端部４１１ｂと第２の配線２２、及び先端部４１２ｂと第２の配線２２は、はんだにより電気的な接続がなされる。
【００４３】
本実施の形態では、先端部４１１ｂと第２の配線２２、及び先端部４１２ｂと第２の配線２２は、はんだを用いなくても電気的に接続が可能であるが、これに限定されず、さらに、図３（ｂ）及び（ｃ）に示すように、はんだ７ｂ及びはんだ７ｃを用いて容易に接触が解除されないように構成しても良い。また、先端部４１１ｂと第２の配線２２の電気的な接触、及び先端部４１２ｂと第２の配線２２の電気的な接触は、はんだに限定されず、導電性を有する接着剤等を用いてなされても良い。
【００４４】
（プランジャ５の構成）
プランジャ５は、例えば、鉄、パーマロイ等の軟磁性体材料を用いて形成される。プランジャ５は、図２（ｂ）に示すように、細長い円柱形状を有する円柱部５０を備えている。
【００４５】
プランジャ５の一方の端部５１は、ヨーク部４の開口４０１を介してボビン３０の貫通孔３３に挿入されている。
【００４６】
プランジャ５の他方の端部５２は、ヨーク部４の円筒部４３から突出している。この端部５２には、短手方向に貫通する孔５３が設けられており、この孔５３にはピン５３０が挿入されている。このピン５３０は、例えば、ソレノイド装置１の駆動対象との接続に用いられる。
【００４７】
コイル部３に電流９０が供給されると、図３（ｅ）に示すように、コイル部３が磁場９５を生成させ、この磁場９５に応じた吸引力が、プランジャ５に作用する。この電流９０は、一例として、第１の配線２１から第２の配線２２に流れるものとする。従って、電流９０は、図３（ｅ）に示すように、第１の配線２１、第１の端子６ａ、電線３５、第２の端子６ｂ、ヨーク部４の上部４０、連結部４２、下部４１及び脚部を介して第２の配線２２に流れる。この脚部は、第１の脚部４１１及び第２の脚部４１２である。
【００４８】
また、プランジャ５の端部５１の端面５１０は、図３（ｅ）及び（ｆ）に示すように、吸引された状態において、後述するコア８の上面８１ａと接触するように構成されている。従って、磁場９５は、ヨーク部４、プランジャ５及びコア８を経由する閉じた磁路を形成する。なお、変形例として、プランジャ５の端面５１０とコア８の上面８１ａとが、嵌め合うような形状であっても良い。
【００４９】
ここで、電流９０が供給されて吸引力が作用している間、電線３５が巻き回された基板２側の端部、言い換えるなら、ボビン３０の円筒部（不図示）と下部フランジ３２の境界３２４と、プランジャ５の端部５１の端面５１０と、が、図３（ｅ）の紙面の側面視においてほぼ同じ位置となる。
【００５０】
つまり、プランジャ５の端面５１０と、ヨーク部４の下部４１の内面４１０ａと、は、下部フランジ３２の段差部３２２の厚みＴ分の距離が生じる。この距離は、磁路を形成する際の抵抗となるので、無くすことが好ましい。従って、ソレノイド装置１は、この距離を無くすため、下部フランジ３２に段差部３２２を設け、さらに、下部４１の内面４１０ａ上に、厚みＴ分、下部４１から突出するコア８を取り付けている。
【００５１】
（第１の端子６ａ及び第２の端子６ｂの構成）
第１の端子６ａ及び第２の端子６ｂは、例えば、銅、アルミニウム等の導電性を有する材料を用いて形成されている。
【００５２】
第１の端子６ａ及び第２の端子６ｂは、例えば、図２（ａ）に示すように、線材をほぼ直角に折り曲げて形成されている。第１の端子６ａは、挿入部６０ａと、接続部６１ａと、を有している。また、第２の端子６ｂは、挿入部６０ｂと、接続部６１ｂと、を有している。
【００５３】
第１の端子６ａは、挿入部６０ａが、ボビン３０の下部フランジ３２に設けられた端子挿入孔３２１に圧入されている。この圧入により、第１の端子６ａは、電線３５と電気的に接続される。
【００５４】
第２の端子６ｂは、挿入部６０ｂが、ボビン３０の上部フランジ３１に設けられた端子挿入孔３１１に圧入される。この圧入により、第２の端子６ｂは、電線３５と電気的に接続される。
【００５５】
コイル部３が、ヨーク部４の挿入領域４６に挿入されると、コイル部３に取り付けられた第２の端子６ｂの接続部６１ｂは、ヨーク部４の上部４０の凹部４０２に嵌る。接続部６１ｂは、凹部４０２に嵌った状態で、はんだ７ａを用いてヨーク部４に取り付けられ、ヨーク部４と電線３５が、第２の端子６ｂを介して電気的に接続する。
【００５６】
一方、第１の端子６ａの接続部６１ａは、基板２の挿入孔２３に挿入され、基板２にヨーク部４が取り付けられた後、図３（ｄ）に示すように、はんだ７ｄを用いて第１の配線２１と電気的に接続される。接続部６１ａは、図３（ｄ）に示すように、基板２の裏面２０ｂより突き出るように構成されている。
【００５７】
（はんだ７ａ〜はんだ７ｄの構成）
はんだ７ａ〜はんだ７ｄは、一例として、鉛フリーはんだ等が用いられる。図３（ｂ）及び（ｃ）に示すように、第１の脚部４１１及び第２の脚部４１２のはんだ付けは、第１の脚部４１１及び第２の脚部４１２が下部４１と繋がっているため、熱が逃げ易く困難となる可能性がある。従って、熱が逃げ難くなるように、第１の脚部４１１の突出部４１１ａ、及び第２の脚部４１２の突出部４１２ａは、必要な強度が得られる程度に細くすることが好ましい。
【００５８】
（コア８の構成）
コア８は、例えば、鉄、パーマロイ等の軟磁性体材料を用いて形成される。コア８は、半径の異なる二つの円柱で構成されている。
【００５９】
コア８は、コア挿入孔４５に挿入され、コア挿入孔４５からボビン３０の内部に突出する一部が、電線３５が巻き回れていないボビンの下部である下部フランジ３２の厚み以上となるように概略構成されている。具体的には、このボビン３０の内部に突出する一部は、以下に記載するコア８の上部８１であり、本実施の形態では、その厚みは、段差部３２２におけるボビン３０の下部フランジ３２の厚みＴ以上である。
【００６０】
具体的には、コア８は、図１（ｂ）に示すように、ヨーク部４の下部４１に設けられたコア挿入孔４５に挿入される下部８０と、下部８０より半径が大きく、下部４１の内面４１０ａより突出する上部８１と、を備えて概略構成されている。
【００６１】
コア８は、コア挿入孔４５に挿入された後、下部８０がかしめられることにより、ヨーク部４の下部４１と一体となる。
【００６２】
以下に、実施の形態に係るソレノイド装置１の組み付けについて、各図を参照しながら説明する。
【００６３】
（ソレノイド装置１の組み付け）
まず、コイル部３の端子挿入孔３２１に第１の端子６ａを圧入すると共に、端子挿入孔３１１に第２の端子６ｂを圧入する。
【００６４】
次に、第１の端子６ａ及び第２の端子６ｂが取り付けられたコイル部３をヨーク部４の挿入領域４６に挿入する。
【００６５】
次に、ヨーク部４の開口４０１からコア８を挿入する。続いて、コア挿入孔４５に挿入されたコア８の下部８０をかしめて、ヨーク部４の下部４１とコア８とを一体とする。
【００６６】
次に、ヨーク部４の凹部４０２に嵌った第２の端子６ｂとヨーク部４の上部４０とをはんだ付けする。なお、上述のコア８の下部８０をかしめる工程と、このはんだ付け工程は、順序が逆であっても良い。
【００６７】
次に、コイル部３が取り付けられたヨーク部４を基板２に取り付ける。この取り付けは、まず、基板２の挿入孔２３に第１の端子６ａを挿入し、基板２の第１の取付孔２５に第１の脚部４１１を挿入し、第２の取付孔２６に第２の脚部４１２を挿入する。そして、第１の端子６ａを中心としてコイル部３を保持するヨーク部４を基板２に対して回転させることにより、先端部４１１ｂと第２の配線２２、及び先端部４１２ｂと第２の配線２２、を電気的に接続させる。
【００６８】
この回転は、図１（ｃ）、（ｄ）及び図３（ａ）に示すように、第１の脚部４１１の突出部４１１ａの端面４１１ｅが、第１の取付孔２５の端部２５ｃに接触すると共に、第２の脚部４１２の突出部４１２ａの端面４１２ｅが、第２の取付孔２６の端部２６ｃに接触するまで行われる。この回転により、先端部４１１ｂと第２の配線２２、及び先端部４１２ｂと第２の配線２２、を電気的に接続させる。
【００６９】
次に、第１の脚部４１１の先端部４１１ｂと第２の配線２２とをはんだ付けし、第２の脚部４１２の先端部４１２ｂと第２の配線２２とをはんだ付けする。
【００７０】
次に、ヨーク部４の開口４０１にプランジャ５を挿入してソレノイド装置１を得る。
【００７１】
（実施の形態の効果）
本実施の形態に係るソレノイド装置１は、組み付けが容易であると共に小型化することができる。具体的には、ソレノイド装置１は、第１の配線２１及び第２の配線２２が、ボビン３０に巻き回された電線３５及びヨーク部４を介して導通する構成を有している。また、ソレノイド装置１は、基板２の挿入孔２３にコイル部３の第１の端子６ａを挿入すると共に、第１の取付孔２５に対する第１の脚部４１１の挿入、及び第２の取付孔２６に対する第２の脚部４１２挿入を行い、基板２に対してヨーク部４を回転させることで、コイル部３を保持したヨーク部４を基板２に直接取り付けることができる。従って、ソレノイド装置１は、簡素な構成を有すると共に小型化でき、また、組み付けが容易である。
【００７２】
ソレノイド装置１は、第１の取付孔２５及び第２の取付孔２６が、挿入孔２３を中心２００とした円２０１に沿って形成され、挿入孔２３に挿入された第１の端子６ａを中心にヨーク部４を回転させるだけで、基板２に対するヨーク部４の組み付けが容易に行えると共に、第１の脚部４１１の先端部４１１ｂ、及び第２の脚部４１２の先端部４１２ｂが基板２の裏面２０ｂ側に位置するので、基板２からのヨーク部４の抜けを防止することができる。
【００７３】
ソレノイド装置１は、コア８が設けられているので、コアを用いない場合と比べて、エアギャップを無くすことができ、吸引力を強めることができる。
【００７４】
ソレノイド装置１は、第１の配線２１及び第２の配線２２が、ボビン３０に巻き回された電線３５及びヨーク部４を介して導通する構成を有するので、低コストで製造することができる。
【００７５】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００７６】
１…ソレノイド装置
２…基板
３…コイル部
４…ヨーク部
５…プランジャ
６ａ…第１の端子
６ｂ…第２の端子
７ａ〜７ｄ…はんだ
８…コア
２０ａ…表面
２０ｂ…裏面
２１…第１の配線
２２…第２の配線
２２ａ…表面
２３…挿入孔
２５…第１の取付孔
２５ａ…挿入開口
２５ｂ…取付開口
２５ｃ…端部
２６…第２の取付孔
２６ａ…挿入開口
２６ｂ…取付開口
２６ｃ…端部
３０…ボビン
３１…上部フランジ
３２…下部フランジ
３３…貫通孔
３５…電線
４０…上部
４１…下部
４２…連結部
４３…円筒部
４５…コア挿入孔
４６…挿入領域
５０…円柱部
５１…端部
５２…端部
５３…孔
６０ａ…挿入部
６０ｂ…挿入部
６１ａ…接続部
６１ｂ…接続部
８０…下部
８１…上部
８１ａ…上面
９０…電流
９５…磁場
２００…中心
２０１…円
３１０…側面
３１１…端子挿入孔
３２０…側面
３２１…端子挿入孔
３２２…段差部
３２３…下面
３２４…境界
４００ａ…上面
４００ｂ…内面
４００ｃ…前面
４０１…開口
４０２…凹部
４１０ａ…内面
４１０ｂ…下面
４１０ｃ…側面
４１０ｄ…側面
４１０ｅ…前面
４１１…第１の脚部
４１１ａ…突出部
４１１ｂ…先端部
４１１ｃ…上面
４１１ｄ…先端上部
４１１ｅ…端面
４１２…第２の脚部
４１２ａ…突出部
４１２ｂ…先端部
４１２ｃ…上面
４１２ｄ…先端上部
４１２ｅ…端面
５１０…端面
５３０…ピン
【図１】
2014143260.tif 000003
【図２】
2014143260.tif 000004
【図３】
2014143260.tif 000005